(57)【特許請求の範囲】
【請求項１】
(ａ)先端部に設けられた配管係止部、中央部に設けられ、可動レバーを枢着する枢着部、中央部から後方に伸びた固定レバーとで構成された工具本体と、
(ｂ)配管係止部に向かって突設された中空孔明けピンとその周囲を取り囲むガス漏れ防止用のシールゴムとを有し、前記中空孔明けピンに連通して配管内のガスを通過させるガス通過孔が穿設され且つ直線ラックギアが刻設され、工具本体の枢着部側から配管係止部に向かって往復移動可能に配設された孔明けブロックと、
(ｃ)円弧面に刻設され前記直線ラックギアに噛合する円弧状ギアを有し、前記枢着部に枢着された可動レバーと、
(ｄ)前記工具本体に設けられたスライド貫通孔を貫通し、且つスライドワッシャを介して前記工具本体の下面に係合すると共に、前記孔明けブロックの下面に螺着して前記孔明けブロックの浮き上がりを抑えるスライダとで構成された事を特徴とする配管孔明け工具。
【請求項２】
中空孔明けピンの先端が斜めに切落されており、当該切落部の背部に通孔が穿設されている事を特徴とする請求項１に記載の配管孔明け工具。
【発明の詳細な説明】
【０００１】
【発明の属する技術分野】
本発明は使い勝手に優れた新規な配管孔明け工具に関する。
【０００２】
【従来の技術】
過去に製造され現在稼働中の空調設備や冷蔵庫のような機器には、非常に安定なガスであり且つ無害であるため冷媒としてフロンガスが大量に使用されてきたが、その危険性に気が付かなかったためこれまでは前記設備や機器を廃棄する際に、フロンガスが循環する配管を切断しフロンガスをそのまま大気放出していた。ところが最近の研究により、このフロンガスは地球温暖化の原因ガスと言うことが判明し、地球環境保全のためには大気中に放出しないようにする必要があるとされ、最近ではその完全回収が義務付けられるようになってきた。
【０００３】
図８は、そのような設備や機器を廃棄する際に、配管(H)に孔をあけて内部のフロンガスを取り出す工具(B)の断面図である。簡単に説明すると、先端部に設けられた配管係止部(102)に配管(H)を係合させ、本体(101)にスライド可能に挿通されたスライド部材(103)の先端に中空孔明けピン(104)を取り付け、本体(101)の後方に回転可能に軸着されたカム(108)をカム(108)に取り付けられたレバー(105)を操作することで本体(101)を配管(H)方向に押し出して前記中空孔明けピン(108)を配管(H)に差し込み、且つ中空孔明けピン(108)の周囲に設けたシールゴム(106)を配管(H)の孔明け部分の周囲に押しつけて密閉し、前記設備や機器のフロンガスを抜き取るようにしている。
【０００４】
一方、配管(H)には直径が大きいものから小さいもので各種あり、図８の工具(B)では配管(H)の直径に合わせて枢着軸(109)を取り付ける軸孔(107)を変える必要があり作業が煩雑であるという欠点や、レバー(105)を操作してスライド部材(103)を前方に押し出すと自動的に元に戻らず、毎回作業者が手でスライド部材(103)を引き戻さなければならないという不便さがあった。
【０００５】
【発明が解決しようとする課題】
本発明は、どのような直径の配管に対しても自在に孔明け作業をすることができ、しかも従来のように孔明け作業毎にスライド部材を引き戻すような必要がなく、孔明け作業を非常に簡単に行う事できるような配管孔明け工具を開発する事をその課題とする。
【０００６】
【課題を解決するための手段】
請求項１に記載の配管孔明け工具(A)は、「先端部に設けられた配管係止部(2)、中央部に設けられ、可動レバー(5)を枢着する枢着部(3)、中央部から後方に伸びた固定レバー(4)とで構成された工具本体(1)と、配管係止部(2)に向かって突設された中空孔明けピン(6)とその周囲を取り囲むガス漏れ防止用のシールゴム(20)とを有し、前記中空孔明けピン(6)に連通して配管(H)内のガスを通過させるガス通過孔(7)が穿設され且つ直線ラックギア(8)が刻設され、工具本体(1)の枢着部(3)側から配管係止部(2)に向かって往復移動可能に配設された孔明けブロック(9)と、円弧面に刻設され前記直線ラックギア(8)に噛合する円弧状ギア(10)を有し、前記枢着部(3)に枢着された可動レバー(5)と、工具本体(1)に設けられたスライド貫通孔(16)を貫通し、且つスライドワッシャ(28)を介して工具本体(1)の下面に係合すると共に、孔明けブロック(9)の下面に螺着して孔明けブロック(9)の浮き上がりを抑えるスライダ(27)とで構成された」事を特徴とする。
【０００７】
本工具(A)によれば、固定レバー(4)と可動レバー(5)とを握って可動レバー(5)を固定レバー(4)側に移動させるだけで円弧状ギヤ(10)が回動して直線ラックギア(8)を配管係止部(2)側に押し出し、先端の中空孔明けピン(6)を配管(H)に突き差して通孔(30)を明け且つその通孔(30)の周囲をシールゴム(20)で密閉するので、配管(H)内のガスを外に漏らすことなく回収することができる。この時、配管(H)の直径が変わったとしても従来例のように支点部分を変更する必要がない。また、工具本体(1)の下面に係合し孔明けブロック(9)の浮き上がりを抑えるスライダ(27)が取り付けられているので、中空孔明けピン(6)の浮き上がりを防止し配管(H)の所定位置に当該ピン(6)を突き刺すことができる。そして、可動レバー(5)を開くと自動的に孔明けピン(6)が取り付けられている孔明けブロック(9)が元に戻り、次の孔明け作業に備える事が出来、孔明け作業を簡便に行うことができる。
【０００８】
「請求項２」は「請求項１」の中空孔明けピン(6)に関し「中空孔明けピン(6)の先端が斜めに切落されており、当該傾斜切落部(11)の背部に通孔(12)が穿設されている」事を特徴とする。このように、傾斜切落部(11)の背部に通孔(12)が穿設されていると、図７のように配管(H)にガス抜き孔(30)を穿設した時のガス抜き孔(30)の孔縁から配管(H)内に折れ曲がった切片(31)が傾斜切落部(11)を閉塞したとしても背部の通孔(12)は閉塞されず、ここから配管(H)内のガスを円滑に抜き取ることができる。
【０００９】
【発明の実施の形態】
以下本発明を図示実施例に従って詳述する。本発明の配管孔明け工具(A)は、工具本体(1)、可動レバー(5)及び孔明けブロック(9)とで構成されている。工具本体(1)の先端には内側面に略く字状の係止溝(13)が形成されており、中央部には可動レバー(5)を枢着する山形の枢着部(3)が突設されており、中央部から後方に固定レバー(4)が伸びている。固定レバー(4)の周囲には滑り止めのラバー(14)が巻設されている。工具本体(1)の配管係止部(2)から固定レバー(4)の基部までスライド貫通溝(16)が形成されており、前記枢着部(3)の近傍部分の２カ所に孔明けブロック(9)の往復移動量を規定するストッパーピン(17)(18)が取り付けられている。
【００１０】
可動レバー(5)は、その一端が前記枢着部(3)に枢着軸(19)にて回動自在に枢着されており、この枢着部分(5b)から可動握り(5a)が伸びており、滑り止めのラバー(15)が巻設されている。また、前記枢着部分(5a)の工具本体(1)側には、円弧面を有する円弧状部分(5c)が設けられており、この部分に円弧状ギア(10)が刻設されている。
【００１１】
孔明けブロック(9)はブロック本体(9a)とこれに接続された直線ラック部(9b)とで構成されており、工具本体(1)の枢着部(3)から配管係止部(3)に至るスライド面(25)にスライド可能に配設されている。ブロック本体(9a)の配管係止部(2)側の端部には中空孔明けピン(6)及び円筒状のシールゴム(20)の後端部を収納するための収納孔(21)が穿設されており、この収納孔(21)からブロック本体(9a)の上面に穿設されたにホース継ぎ手取付孔(22)に連通するガス通過孔(7)が穿設されている。
【００１２】
また、直線ラック部(9b)の先端は、ブロック本体(9a)の後端の二股部分(9c)に嵌め込まれ、ピン(24)にて連結されている。勿論、ブロック本体(9a)と直線ラック部(9b)とは一体構造であっても良い。直線ラック部(9b)の後部上面には直線ラックギア(8)が刻設されており、前記円弧状ギア(10)に噛合している。また、直線ラック部(9b)の下面にはストッパーピン(17)(18)に係合する係合突起(26)が突設されており、孔明けブロック(9)の往復移動距離を規定している。更に、ブロック本体(9a)の下面にはスライド貫通溝(16)を貫通し、工具本体(1)の下面に係合しブロック本体(9a)の浮き上がりを抑えるスライダ(27)がスライドワッシャ(28)を介して螺着されている。
【００１３】
中空孔明けピン(6)は細いニードル状の差し込み部(6a)と前記ピン収納孔(21)に嵌め込まれる太径部(6b)とその外周に突設された外鍔(6c)とで構成されており、その中心に差し込み孔(6d)が穿設されており、前記ガス通過孔(7)に連通するようになっている。また、前記差し込み部(6a)の先端は斜めに切落されており、前記傾斜切落部(11)の背部に通孔(12)が穿設されている。前記差し込み部(6a)は円筒状のシールゴム(20)に差し込まれており、その先端がわずかに前記シールゴム(20)から出ている。前記中空孔明けピン(6)及びシールゴム(20)の後端部分は図３に示すように、Ｏリング(29)を介してピン収納孔(21)内に収納されている。前記シールゴム(20)の先端部分は若干山形を呈するように円錐台状に形成されている。
【００１４】
次に、本発明の作用について説明する。空調設備や冷蔵庫などの冷媒収納部分の配管(H)を配管係合部(2)のＶ字状係合溝(13)に嵌め込み固定する。続いて、可動レバー(5)と固定レバー(4)とを握り、可動レバー(5)を固定レバー(4)側に移動させると円弧状ギア(10)が枢着軸(19)を中心に回動し、円弧状ギア(10)に噛合した直線ラックギア(8)を前方に押し出す。そして、直線ラックギア(8)が設けられている直線ラック部(9b)は一体となっているブロック本体(9a)を前方に押し出すことになる。ブロック本体(9a)の前方には配管係止部(2)に係止された配管(H)が位置しているので、ブロック本体(9a)の前進と共にブロック本体(9a)の中空孔明けピン(6)の細いニードル状の差し込み部(6a)が配管(H)を差し貫くことになる。なお、ブロック本体(9a)は係合突起(26)が前のストッパーピン(17)に当接して停止する。
【００１５】
中空孔明けピン(6)の差し込み部(6a)は配管(H)に丸いガス抜き孔(30)を穿設するが、ガス抜き孔(30)はその全体が円く切り抜かれず、一部「＝切片(31)」がその孔縁につながっており差し込み部(6a)の傾斜切落部(11)に沿って配管(H)内側に押し込まれ傾斜切落部(11)を塞ぐ。従って、差し込み部(6a)の先端の通孔から配管(H)内のガスを抜きにくいが、傾斜切落部(11)の背面に設けられた通孔(12)を通って配管(H)内のガスが中空孔明けピン(6)内に流れ込む。中空孔明けピン(6)に流れ込んだガスはガス通過孔(7)を通ってブロック本体(9a)に螺着されたホース継ぎ手(23)に至り、図示しない回収容器に回収される。
【００１６】
また、前述のガス抜き工程において、中空孔明けピン(6)の差し込み部(6a)の周囲を覆うシールゴム(20)はブロック本体(9a)にて配管(H)のガス抜き孔(30)の周囲に強く押しつけられ、差し込み部(6a)と前記ガス抜き孔(30)との間からのガス漏れを防止している。
【００１７】
また、中空孔明けピン(6)の差し込み部(6a)が配管(H)に差し込まれる時、ブロック本体(9a)が工具本体(1)のスライド面(25)から浮き上がる方向に力が加わるが、工具本体(1)の下面に係合しているスライダ(27)がブロック本体(9a)の浮き上がりを抑えている。この浮き上がり作用は中空孔明けピン(6)の先端の傾斜切落部(11)の方向と関係しており、前記傾斜切落部(11)がスライド面(25)側を向いているとき、差し込み部(6a)の差し込みに従って形成される切片(31)に沿って切落傾斜部(11)が滑るため中空孔明けピン(6)が浮き上がる方向に押されることになる。従って、図６、７からわかるように切落傾斜部(11)は通常工具本体(1)に対して横方向を向くようにセットされる。
【００１８】
なお、ガス抜きの間はシールゴム(20)が強くガス抜き孔(30)の周囲に押し付けられてガス漏れを防ぐ必要があるため、枢着軸(19)による締め付け力をある程度高めておき、枢着部(3)にて可動レバー(5)の枢着部分を挟みつけておき、その摩擦力で力を抜いたときに可動レバー(5)がすぐに戻らないようにしている。
【００１９】
ガス抜きが終わると、可動レバー(5)を固定レバー(4)から離間させる方向に動かすと、図３からわかるように、円弧状ギア(10)が反時計方向に回動し、これに噛合している直線ラックギア(8)を介して孔明けブロック(9)が引き戻され、中空孔明けピン(6)の差し込み部(6a)を配管(H)から引き抜く。孔明けブロック(9)の後退停止は後方のストッパーピン(18)に係合突起(26)が係合することで行われる。これにより、空調設備や冷蔵庫の冷媒として使用されているフロンガスの回収が完了する。
【００２０】
【発明の効果】
本発明は、配管係止部に向かって突設された中空孔明けピンとその周囲を取り囲むガス漏れ防止用のシールゴムとを有する孔明けブロックの直線ラックギアに、可動レバーに設けた円弧状ギアを噛合させて孔明けブロックを往復移動させるので、レバー操作だけでどのような直径の配管にでも簡単に孔を明けることが出来てガス漏れなくガスを抜くことが出来、しかも直線ラックギアと円弧状ギアとの噛合による孔明けブロックの往復移動であるから中空孔明けピンを引き抜くために可動レバーを操作すれば孔明けブロックが後退して元の位置に戻り、次の孔明け作業の準備が完了する事になり、非常に使い勝手がよい。
【図面の簡単な説明】
【図１】本発明にかかる配管孔明け工具の可動レバーを開いた状態の正面図
【図２】本発明にかかる配管孔明け工具の可動レバーを閉じた状態の正面図
【図３】図１の断面図
【図４】図１の平面図
【図５】図１の中空孔明けピン近傍の部分拡大図
【図６】本発明の中空孔明けピンが配管に差しこまれている状態の部分拡大図
【図７】図６の平面図
【図８】従来例の正断面図
【符号の説明】
(A)  配管孔明け工具
(1)  工具本体
(2)  配管係止部
(3)  枢着部
(4)  固定レバー
(5)  可動レバー
(6)  中空孔明けピン
(7)  ガス通過孔
(8)  直線ラックギア
(9)  孔明けブロック
(10)  円弧状ギア
【図１】
0003727544.tif 000002
【図２】
0003727544.tif 000003
【図３】
0003727544.tif 000004
【図４】
0003727544.tif 000005
【図５】
0003727544.tif 000006
【図６】
0003727544.tif 000007
【図７】
0003727544.tif 000008
【図８】
0003727544.tif 000009